(57)【要約】【課題】出版物やデータ等に対する不正な再版やコピーを防止して著作権の保護が確実に行えるようにすることである。【解決手段】複写装置１０は、複写対象となる原稿をスキャンすると、当該原稿から識別コードを表す無線タグ情報を読み取り、当該読み取った著作権問合せ情報（無線タグ情報を含む）を著作権管理サーバ３０にネットワークを介して送信して当該原稿が複写可能か否かの問合せを行う。著作権管理サーバ３０は、複写装置１０から著作権問合せ情報を受信すると、当該著作権問合せ情報に含まれている無線タグ情報に対応する著作権管理情報を著作権データベース３０ａから読み出して複写装置１０に返信する。その後、複写装置１０は著作権管理サーバ３０から著作権管理情報を受信すると、当該受信した著作権管理情報の内容に基づいて複写処理を実行する。【選択図】          図１
2005031791.tif 000002
【特許請求の範囲】
【請求項１】
原稿及び／又はデータを複写する複写装置と、該原稿及び／又はデータに対する複写の可否を示す情報を含む著作権管理情報を格納する著作権データベースと、入力された送信要求に応じて前記著作権管理情報を当該要求元に送信する著作権管理サーバとがネットワークを介して接続されて成る著作権管理システムであって、
前記複写装置は、
前記原稿及び／又はデータを識別するための識別コードを該原稿及び／又はデータに埋め込まれた無線タグから取得する識別コード取得部と、
前記取得された識別コードを前記著作権管理サーバに送信して当該識別コードの原稿及び／又はデータに対する著作権管理情報の送信要求を前記著作権管理サーバに対して行うよう制御すると共に、当該送信要求に応じて該著作権管理サーバから送信される著作権管理情報に基づいて該著作権管理情報に含まれる識別コードの原稿及び／又はデータに対する複写の可否を判定する制御部とを備え、
前記著作権管理サーバは、
前記複写装置から前記識別コードを受信すると、当該受信した識別コードの原稿及び／又はデータに対する著作権管理情報を前記著作権データベースから取得し、当該取得した著作権管理情報を当該複写装置に送信することを特徴とする著作権管理システム。
【請求項２】
前記著作権管理情報は、複写の際に支払われる著作権料を原稿及び／又はデータ毎に規定する情報が更に含まれていることを特徴とする請求項１に記載の著作権管理システム。
【請求項３】
前記複写装置は、前記著作権管理サーバから受信した著作権管理情報の一部又は全部を表示する表示部を更に備えることを特徴とする請求項１又は２に記載の著作権管理システム。
【請求項４】
原稿毎及び／又はデータ毎の複写履歴を表す複写履歴情報を格納する複写履歴データベースが前記ネットワークを介して更に接続され、
前記制御部は、
複写が行われた際に、当該複写が終了した旨の情報と当該複写が行われた原稿及び／又はデータの識別コードとを含む複写終了通知情報を前記著作権管理サーバに送信するよう制御し、
前記著作権管理サーバは、
前記複写履歴データベースに記録された複写履歴情報のうち、前記送信された複写終了通知情報に含まれる識別コードの原稿及び／又はデータに対する複写履歴情報を、当該複写履歴情報に基づいて更新することを特徴とする請求項１〜３のうち何れか一項に記載の著作権管理システム。
【請求項５】
前記制御部は、
複写操作を行う操作者を識別するためのユーザＩＤが当該複写の際に入力された場合、当該入力されたユーザＩＤを前記複写終了通知情報と共に前記著作権管理サーバに送信するよう制御し、
前記著作権管理サーバは、
前記複写履歴データベースに記録された複写履歴情報のうち、前記送信された複写終了通知情報に含まれる識別コードの原稿及び／又はデータに対する複写履歴情報を、前記送信されたユーザＩＤに関連付けると共に当該複写履歴情報に基づいて更新することを特徴とする請求項４に記載の著作権管理システム。
【請求項６】
前記著作権管理サーバは、前記複写履歴データベースに記録されている複写履歴情報に対し、前記識別コード毎か、或いは前記ユーザＩＤ毎に著作権料の積算を所定の期間毎に行うと共に、入力された送信要求に応じて当該著作権料の積算値を当該要求元に送信することを特徴とする請求項５に記載の著作権管理システム。
【発明の詳細な説明】
【０００１】
【発明の属する技術分野】
本発明は、出版物やデータ等に対する著作権保護を行うための著作権管理システムに関する。
【０００２】
【従来の技術】
従来、出版物やデータ（例えば、プログラムデータ。）等に対する著作権を保護するための技術が種々提案されている。例えば、特許文献１には、複写機が原稿画像からバーコードを読み取り、そのバーコードのデータを、通信回線を介して管理装置に送信し、管理装置が複写可否の判断や著作権料の計算をして、著作物の複写を管理する技術が提案されている。また、特許文献２には、複写機がサブスキャナで書籍裏面側に印刷されたＩＳＢＮやＩＳＳＮ等の識別コード（バーコード）を読み取り、さらに電気通信網を介してデータベースから対応する複写条件情報を取得して、複写可否の判断や著作権料の計算をして、書籍の複写管理をする技術が提案されている。
【０００３】
【特許文献１】
特開平７−１１０６４５号公報
【特許文献２】
特開２００２−２０９０３９号公報
【０００４】
【発明が解決しようとする課題】
しかし、上記従来の技術は、以下のような問題があった。すなわち、バーコード等の容易に視認できる識別子に基づき著作権等を管理しようとすると、そのことを知られた場合には、もしもバーコードに小細工をされたら、不正に著作権フリーの状態で複写可能ということになり、著作権管理ができないという問題がある。
【０００５】
本発明の課題は、出版物やデータ等に対する不正再版や不正コピーを防止して著作権が確実に保護できる著作権管理システムを提供することである。
【０００６】
【課題を解決するための手段】
上記課題を解決するため、請求項１に記載の発明は、
原稿及び／又はデータを複写する複写装置と、該原稿及び／又はデータに対する複写の可否を示す情報を含む著作権管理情報を格納する著作権データベースと、入力された送信要求に応じて前記著作権管理情報を当該要求元に送信する著作権管理サーバとがネットワークを介して接続されて成る著作権管理システムであって、
前記複写装置は、
前記原稿及び／又はデータを識別するための識別コードを該原稿及び／又はデータに埋め込まれた無線タグから取得する識別コード取得部と、
前記取得された識別コードを前記著作権管理サーバに送信して当該識別コードの原稿及び／又はデータに対する著作権管理情報の送信要求を前記著作権管理サーバに対して行うよう制御すると共に、当該送信要求に応じて該著作権管理サーバから送信される著作権管理情報に基づいて該著作権管理情報に含まれる識別コードの原稿及び／又はデータに対する複写の可否を判定する制御部とを備え、
前記著作権管理サーバは、
前記複写装置から前記識別コードを受信すると、当該受信した識別コードの原稿及び／又はデータに対する著作権管理情報を前記著作権データベースから取得し、当該取得した著作権管理情報を当該複写装置に送信することを特徴とする。
【０００７】
更に、請求項２に記載の発明のように、請求項１に記載の発明において、
前記著作権管理情報は、複写の際に支払われる著作権料を原稿及び／又はデータ毎に規定する情報が更に含まれていることを特徴とする。
【０００８】
更に、請求項３に記載の発明のように、請求項１又は２に記載の発明において、
前記複写装置は、前記著作権管理サーバから受信した著作権管理情報の一部又は全部を表示する表示部を更に備えることを特徴とする。
【０００９】
更に、請求項４に記載の発明のように、請求項１〜３のうち何れか一項に記載の発明において、
原稿毎及び／又はデータ毎の複写履歴を表す複写履歴情報を格納する複写履歴データベースが前記ネットワークを介して更に接続され、
前記制御部は、
複写が行われた際に、当該複写が終了した旨の情報と当該複写が行われた原稿及び／又はデータの識別コードとを含む複写終了通知情報を前記著作権管理サーバに送信するよう制御し、
前記著作権管理サーバは、
前記複写履歴データベースに記録された複写履歴情報のうち、前記送信された複写終了通知情報に含まれる識別コードの原稿及び／又はデータに対する複写履歴情報を、当該複写履歴情報に基づいて更新することを特徴とする。
【００１０】
更に、請求項５に記載の発明のように、請求項４に記載の発明において、
前記制御部は、
複写操作を行う操作者を識別するためのユーザＩＤが当該複写の際に入力された場合、当該入力されたユーザＩＤを前記複写終了通知情報と共に前記著作権管理サーバに送信するよう制御し、
前記著作権管理サーバは、
前記複写履歴データベースに記録された複写履歴情報のうち、前記送信された複写終了通知情報に含まれる識別コードの原稿及び／又はデータに対する複写履歴情報を、前記送信されたユーザＩＤに関連付けると共に当該複写履歴情報に基づいて更新することを特徴とする。
【００１１】
更に、請求項６に記載の発明のように、請求項５に記載の発明において、
前記著作権管理サーバは、前記複写履歴データベースに記録されている複写履歴情報に対し、前記識別コード毎か、或いは前記ユーザＩＤ毎に著作権料の積算を所定の期間毎に行うと共に、入力された送信要求に応じて当該著作権料の積算値を当該要求元に送信することを特徴とする。
【００１２】
従って、複写対象となる原稿及び／又はデータの識別コードに基づいて、当該原稿及び／又はデータが複写可能か否か、更に、複写可の場合には著作権料がいくらかかるか等の情報が容易にわかるので、複写が許可されていない原稿及び／又はデータについては、複写が行われず、又、著作権料の支払いと引き換えに複写が許可されている原稿及び／又はデータの場合には、著作権料が確実に徴収できるので、著作権保護が確実に実施できる。
また、著作権管理情報が著作権管理サーバで一括管理されるため、複写の可否、著作権料等に対する設定変更が容易且つ迅速に行える。
また、社内等で作成された機密文書や重要書類等に対しては、ユーザ（例えば、社員等。）毎に複写可否が設定できるので、柔軟できめ細かな著作権保護が実現できる。
すなわち、出版物やデータ等に対する不正再版や不正コピーを防止して著作権が確実に保護できる。
【００１３】
【発明の実施の形態】
図面を参照して本発明を適用した著作権管理システム１００について詳細に説明する。
図１に示すように、著作権管理システム１００は、ＬＡＮ（Ｌｏｃａｌ  Ａｒｅａ  Ｎｅｔｗｏｒｋ）を介して接続された複数の複写装置１０と、著作権管理サーバ３０とが、ネットワーク（Ｎｅｔｗｏｒｋ）を介して接続されて成る。
【００１４】
複写装置１０は、プリンタ機能、コピー機能、スキャナ機能及び通信機能等を有する複合機であり、コピー機能やスキャナ機能を用いて原稿から画像を読み込む際（以下、原稿から画像を読み込むことを複写と総称する。）には各原稿固有の識別コードを原稿から読み取って、当該原稿が複写可能か否か、すなわち、上記コピー機能やスキャナ機能を用いて原稿から画像を読み込めるか否かを著作権管理サーバ３０に問い合わせ、当該問い合わせに対する著作権管理サーバ３０からの回答に応じて複写処理を行う。この場合、原稿には無線タグが埋め込まれており、当該無線タグからは、原稿固有の識別コード（以下、無線タグ情報ともいう。）を表す無線タグ信号が出力される。
また、複写装置１０には、各機器固有の機器ＩＤが割り当てられているものとする。
【００１５】
著作権管理サーバ３０は、複写装置１０から識別コードが送信され、原稿の複写が可能か否かの問合せがあると、当該送信された識別コードに対応する原稿が複写可能か否かを著作権データベース３０ａに照会することによって複写可能か否かを判定し、当該判定結果を送信元の複写装置１０に送信する。また、著作権管理サーバ３０は、複写装置１０が複写処理を行う度に、複写履歴データベース３０ｂに記録されている複写履歴情報を更新する。
【００１６】
著作権データベース３０ａは、著作権管理が必要な原稿に対する著作権管理情報（例えば、図２に示す著作権管理情報Ｘを参照。）を格納し、複写履歴データベース３０ｂは、複写装置１０で行われた複写処理に係る複写履歴情報（例えば、図３に示す複写履歴情報Ｙを参照。）を格納する。
【００１７】
ここで、著作権管理情報Ｘは、無線タグ情報（識別コード）、原稿名、一般ユーザの複写可否設定、複写可とするユーザＩＤ設定、著作権料（円／枚）、著作権者、発行元等の各情報を含み、複写履歴情報Ｙは、識別コード、原稿名、ユーザＩＤ、ユーザ名、複写枚数、著作権料（円）、使用年月日等の各情報を含んでいる。
【００１８】
ここで、図４を参照して、複写装置１０の構成について説明する。図４に複写装置１０の内部構成を示す。
【００１９】
図４に示すように、複合機１０は、制御部１１、ＲＯＭ１２、メモリ１３、画像読込部１４、記録部１５、識別コード取得部１６、ネットワーク接続部１７、モデム１８、表示部１９、操作部２０等を備えて構成される。
【００２０】
制御部１１は、ＲＯＭ１２に格納された各種プログラムを実行することにより複写装置１０を統括的に制御する。特に、制御部１１は、ＲＯＭ１２に格納された複写処理プログラムを実行することにより、図７のフローチャートに示す複写処理を行う。
【００２１】
ＲＯＭ１２は、制御部１１により実行される各種プログラムや各種データを格納する。特に、図７のフローチャートに示す複写処理を行うための複写処理プログラムを格納する。
【００２２】
メモリ１３は、上記各種プログラムを実行可能に展開して格納すると共に、上記各種プログラムが実行される際に生じる各種データを一時的に格納する。
【００２３】
ユーザＩＤデータベース１３ａは、読み出し／書き込み自在なメモリであり、複写装置１０を利用するユーザのユーザ情報（例えば、図５に示すユーザ情報Ｚを参照。）を格納する。
【００２４】
画像読込部１４は、図６に示すように、原稿台１４ａ、光学ランプ１４ｂ、光学ランプ架台１４ｃ等を備え、原稿台１４ａに載置された原稿Ｇをスキャンして原稿Ｇから画像を読み込む。光学ランプ架台１４ｃは、架台移動方向に移動可能であり、原稿Ｇの画像を読み込むための光学ランプ１４ｂと、原稿Ｇに埋め込まれた無線タグ１から送信される無線タグ情報を表す無線タグ信号を受信するためのアンテナ１６ａとが配設されている。アンテナ１６ａは、光学ランプ架台１４ｃに形成されたアンテナ移動溝１４ｄに沿って移動可能となっている。原稿Ｇが光学ランプ１４ｂによりスキャンされる際には、光学ランプ架台１４ｃ及びアンテナ１６ａの駆動部（図示略。）が制御部１１により制御され、アンテナ１６ａがアンテナ移動溝１４ｄに沿って所定周期で往復運動しながら、光学ランプ架台１４ｃが架台移動方向に移動する。
これにより、無線タグ１が原稿Ｇのどの場所に埋め込まれていても、無線タグ１から送信される無線タグ信号がアンテナ１６ａにより受信可能となる。また、光学ランプ１４ｂの近傍にアンテナ１６ａを設けたので、シートスルー型の原稿自動送り装置が原稿台１４ａに設置されているような場合でも、無線タグ信号が確実に受信できる。
【００２５】
記録部１５は、制御部１１からの指示に応じて、画像読込部１４により読み込まれた画像を紙等の記録媒体にプリントする。
【００２６】
識別コード取得部１６は、アンテナ１６ａ、無線コントローラ１６ｂを備え、原稿に埋め込まれた無線タグから当該原稿を識別して特定するための識別コード（すなわち、無線タグ情報）を読み取る。
【００２７】
アンテナ１６ａは、画像読込部１４の原稿台１４ａに載置された無線タグから無線タグ信号を受信して無線コントローラ１６ｂに送信する。無線コントローラ１６ｂは、アンテナ１６ａにより受信された無線タグ信号から復調処理等を行うことによって無線タグ情報を取得し、当該取得した無線タグ情報を制御部１１に送信する。
【００２８】
ネットワーク接続部１７は、ＬＡＮを介して外部機器との間でデータの送受信を行うためのインターフェースを備え、モデム１８は、電話回線等の公衆回線を介して外部機器との間でデータの送受信を行うためのインターフェースを備える。
【００２９】
表示部１９は、ＬＣＤ（Ｌｉｑｕｉｄ  Ｃｒｙｓｔａｌ  Ｄｉｓｐｌａｙ）等の表示装置（図示略。）を備え、制御部１１から送信される各種画像を当該表示装置に表示する。
【００３０】
操作部２０は、各種機能キーやタッチパネル等のポインティングデバイスを備え、各種指示入力を制御部１１に送信する。また、タッチパネルは、表示部１９が具備する上記表示画面に貼付されている。
【００３１】
次に、再び図１を参照しながら、著作権管理システム１００が行う処理の流れの概略を説明する。
【００３２】
複写装置１０は、複写対象となる原稿の無線タグ情報と、当該複写装置１０を操作するユーザのユーザＩＤと、複写枚数と、当該複写装置１０の機器ＩＤ（以下、著作権問合せ情報と総称する。）とを著作権管理サーバ３０に送信して、当該原稿に係る著作権管理情報の送信を要求する（ステップＡ１）。なお、著作権問合せ情報には、更に、用紙サイズ、原稿読込み条件及び複写条件等を示す情報が含まれていてもよい。
【００３３】
次に、著作権管理サーバ３０は、複写装置１０から上記著作権問合せ情報を受信すると、著作権データベース３０ａにアクセス（照会）して当該著作権問合せ情報に含まれている無線タグ情報（識別コード）が著作権データベース３０ａに既に登録されているか否かを判定し（ステップＡ２）、登録されている場合には、当該無線タグ情報に該当する著作権管理情報を著作権データベース３０ａから読み出す（ステップＡ３）。
【００３４】
次に、著作権管理サーバ３０は、上記著作権データベース３０ａから読み出した著作権管理情報を、当該問合せ元の複写装置１０に送信する（ステップＡ４）。
【００３５】
次に、複写装置１０は、著作権管理サーバ３０から上記著作権管理情報を受信すると、当該著作権管理情報の内容の一部又は全部を表示部１９に表示すると共に、当該著作権管理情報に基づいて複写可能か否かを判定する（ステップＡ５）。
【００３６】
次に、複写装置１０は、複写可能と判定した場合には、予め設定された複写条件に基づいて当該原稿に対する複写（すなわち、読み込んだ画像をプリントしたり、データとして記録媒体に記録したりする等。）を行い、当該原稿の無線タグ情報と、当該複写装置１０を操作したユーザのユーザＩＤと、ユーザ名と、複写枚数と、当該複写を行った複写装置１０の機器ＩＤと、複写が終了した旨を示す情報（以下、複写終了通知情報と総称する。）を著作権管理サーバ３０に送信する（ステップＡ６）。なお、複写終了通知情報には、更に、用紙サイズ、原稿読込み条件及び複写条件等を示す情報が含まれていてもよい。
【００３７】
次に、著作権管理サーバ３０は、複写装置１０から上記複写終了通知情報を受信すると、当該受信した複写終了通知情報に基づいて複写履歴データベース３０ｂの複写履歴情報を更新する（ステップＡ７）。
【００３８】
著作権管理サーバ３０は、クライアントＰＣ４０や複写装置１０から複写履歴情報の送信要求があると、複写履歴データベース３０ｂから複写履歴情報を読み出して、当該送信要求元に送信する（ステップＡ８）。この場合、クライアントＰＣ４０や複写装置１０を用いて複写履歴情報を要求したユーザは、複写履歴情報に含まれている課金情報に基づいて著作権料の課金請求を行ったり、支払いを行ったりする。
【００３９】
次に、上記概略説明した著作権管理システム１００が行う処理の詳細を、複写装置１０、著作権管理サーバ３０に分けて個別に説明する。
【００４０】
まず、図７を参照して、複写装置１０が行う複写処理について説明する。
【００４１】
はじめに、ユーザＩＤを入力するユーザ認証モードが設定されているか否かを判定し（ステップＳ１）、ユーザ認証モードが設定されていない場合（ステップＳ１；Ｎｏ）、ステップＳ５に移行し、ユーザ認証モードが設定されている場合には（ステップＳ１；Ｙｅｓ）、ユーザＩＤ入力表示を表示部１９に表示してユーザＩＤの入力をユーザに促す（ステップＳ２）。
【００４２】
そして、ユーザＩＤが入力されたか否かを監視し（ステップＳ３；Ｎｏ）、ユーザＩＤが入力された場合（ステップＳ３；Ｙｅｓ）、ユーザＩＤデータベース１３ａにアクセスし、入力されたユーザＩＤがユーザＩＤデータベース１３ａに登録されているか否かを確認する（ステップＳ４）。入力されたユーザＩＤがユーザＩＤデータベース１３ａに登録されていない場合（ステップＳ４；Ｎｏ）、ステップＳ３に移行してユーザＩＤが再入力されるのを待ち、入力されたユーザＩＤがユーザＩＤデータベース１３ａに登録されている場合には（ステップＳ４；Ｙｅｓ）、ステップＳ５に移行する。
【００４３】
ステップＳ４の後か、或いはステップＳ１；Ｎｏの分岐の後、自機を、コピー機能やスキャナ機能を使用するための複写モードが起動されるのを待つ複写待機状態とし（ステップＳ５）、この複写モードが起動されて複写条件（例えば、倍率、濃度、用紙サイズ、部数等。）の設定が行われるまで、この複写待機状態を保持する（ステップＳ６；Ｎｏ）。
【００４４】
そして、複写条件の設定が行われると（ステップＳ６；Ｙｅｓ）、原稿のスキャンを開始し、スキャンして読み込んだ画像をメモリ１３に一時的に格納する（ステップＳ７）。この際、スキャンされた原稿枚数（以下、複写枚数ともいう。）はカウントされる。
【００４５】
そして、スキャンした原稿から無線タグ情報を取得したか否かを判定し（ステップＳ８）、無線タグ情報を取得していない場合（ステップＳ８；Ｎｏ）、ステップＳ９に移行して上記読み込んだ画像をメモリ１３から読み出して出力（例えば、プリントしたり、データとして記録媒体に記録したり）する（ステップＳ９）。
【００４６】
ステップＳ８の段階で、無線タグ情報を取得した場合（ステップＳ８；Ｙｅｓ）、当該取得した無線タグ情報を含む著作権問合せ情報を著作権管理サーバ３０に送信して、当該原稿に係る著作権管理情報の送信を要求する（ステップＳ１０）。
【００４７】
その後、著作権管理サーバ３０から著作権管理情報を受信したか否かを監視し（ステップＳ１１；Ｎｏ、図１のステップＡ４の処理に対応。）、著作権管理情報を受信した場合（ステップＳ１１；Ｙｅｓ）、当該受信した著作権管理情報を解析し（ステップＳ１２）、上記スキャンした原稿が複写禁止されているか否かを判定する（ステップＳ１３）。
【００４８】
ステップＳ１３の段階で、複写が禁止されている場合には（ステップＳ１３；Ｙｅｓ）、ステップＳ１４に移行して複写禁止されている旨のメッセージ（例えば、「複写が禁止された原稿です」等。）を表示部１９に表示して複写処理を終了する。また、ステップＳ１３の段階で、複写が禁止されていない場合には（ステップＳ１３；Ｎｏ）、上記受信した著作権管理情報に基づいて、上記スキャンした原稿の著作権料が有料か否かを判定する（ステップＳ１５）。
【００４９】
ステップＳ１５の段階で、著作権料が無料の場合には（ステップＳ１５；Ｎｏ）、ステップＳ９に移行して上記読み込んだ画像をメモリ１３から読み出して出力する。また、ステップＳ１５の段階で、著作権料が有料の場合には（ステップＳ１５；Ｙｅｓ）、当該著作権料を、例えば、「この原稿を複写すると、一枚当り１０円の著作権料がかかります」等のように表示部１９に表示して（ステップＳ１６）、操作部２０が備える複写スタートボタンが押下されたか否かを判定する（ステップＳ１７）。
【００５０】
ステップＳ１７の段階で、複写スタートボタンが押下されなかった場合（ステップＳ１７；Ｎｏ）、複写処理を終了し、複写スタートボタンが押下された場合（ステップＳ１７；Ｙｅｓ）、ステップＳ９と同様の出力処理を行い（ステップＳ１８）、当該出力処理の終了後、複写終了通知情報を作成して著作権管理サーバ３０へ送信する（ステップＳ１９）。
【００５１】
次に、図８を参照して、著作権管理サーバ３０が行う著作権管理処理について説明する。
【００５２】
まず、複写装置１０から著作権問合せ情報を受信したか否かを判定する（ステップＳ２０）。複写装置１０から著作権問合せ情報を受信した場合（ステップＳ２０；Ｙｅｓ）、著作権データベース３０ａにアクセス（照会）して当該受信した著作権問合せ情報に含まれる無線タグ情報（識別コード）が著作権データベース３０ａに既に登録されているか否かを判定する（ステップＳ２２）。
【００５３】
ステップＳ２２の段階で、無線タグ情報が著作権データベース３０ａに登録されていない場合（ステップＳ２２；Ｎｏ）、上記著作権問合せ情報の送信元である複写装置１０に対し、当該無線タグ情報に対応する著作権管理情報は著作権データベース３０ａに登録されていない旨の情報を送信する（ステップＳ２３）。また、ステップＳ２２の段階で無線タグ情報が著作権データベース３０ａに既に登録されている場合（ステップＳ２２；Ｙｅｓ）には、当該無線タグに該当する著作権管理情報を著作権データベース３０ａから読み出し（ステップＳ２４）、当該読み出した著作権管理情報を、当該問合せ元の複写装置１０に送信する（ステップＳ２５）。
【００５４】
ステップＳ２０に戻って説明する。
複写装置１０から著作権問合せ情報を受信していない場合（ステップＳ２０；Ｎｏ）、複写装置１０から複写終了通知情報を受信したか否かを判定する（ステップＳ２６）。
【００５５】
ステップＳ２６の段階で、複写装置１０から複写終了通知情報を受信していない場合には（ステップＳ２６；Ｎｏ）、ステップＳ２０に移行し、複写装置１０から複写終了通知情報を受信した場合には（ステップＳ２６；Ｙｅｓ）、当該受信した複写終了通知情報に基づいて複写履歴データベース３０ｂに記録された複写履歴情報を更新（例えば、当該複写終了通知情報に基づいて複写履歴情報を複写履歴データベース３０ｂに記録）する（ステップＳ２７）。
【００５６】
また、複写履歴データベース３０ｂに記録されている複写履歴情報に対して、識別コード毎か、或いはユーザＩＤ毎に著作権料の積算を所定の期間毎（例えば、１ヶ月毎。）に行う。当該積算値は、著作権管理サーバ３０の内蔵メモリ（図示略。）に格納する。更に、入力された送信要求（例えば、クライアントＰＣ４０からの送信要求。）に応じて当該著作権料の積算値を当該要求元に送信する。これにより、著作権料の徴収が確実且つ円滑に行える。
【００５７】
以上説明したように、複写装置１０は、複写対象となる原稿をスキャンすると、当該原稿から識別コードを表す無線タグ情報を読み取り、当該読み取った著作権問合せ情報（無線タグ情報を含む）を著作権管理サーバ３０にネットワークを介して送信して当該原稿が複写可能か否かの問合せを行う。著作権管理サーバ３０は、無線タグ情報（識別コード）毎に複写可否や著作権料等の情報を含む著作権管理情報を有し、複写装置１０から著作権問合せ情報を受信すると、当該著作権問合せ情報に含まれている無線タグ情報に対応する著作権管理情報を著作権データベース３０ａから読み出して複写装置１０に返信する。その後、複写装置１０は著作権管理サーバ３０から著作権管理情報を受信すると、当該受信した著作権管理情報の内容に基づいて複写処理を実行する。
【００５８】
従って、複写対象となる原稿に埋め込まれた無線タグ情報に基づいて、当該原稿が複写可能か否か、更に、複写可の場合には著作権料がいくらかかるか等が容易にわかるので、複写が許可されていない原稿については、複写が行われず、又、著作権料の支払いと引き換えに複写が許可されている原稿の場合には、著作権料が確実に徴収できるので、著作権保護が確実に実施できる。
また、著作権管理情報が著作権管理サーバ３０で一括管理されるため、複写可否、著作権料等に対する設定変更が容易且つ迅速に行える。
また、社内等で作成された機密文書や重要書類等に対しては、ユーザ（例えば、社員等。）毎に複写可否が設定できるので、柔軟できめ細かな著作権（機密、特定画像等を含む。）保護が実現できる。
また、コピー機能か、或いはスキャナ機能の何れを用いた場合であっても、更に、読み込んだ画像をプリントするか、或いはデータとして記録媒体に記録するかの何れの場合であっても確実に著作権保護が実施できるので、高い汎用性が実現できる。
【００５９】
なお、本実施の形態における記述は、本発明に係る著作権管理システムの一例を示すものであり、これに限定されるものではない。本実施の形態における著作権管理システム１００の細部構成及び詳細動作に関しては、本発明の趣旨を逸脱しない範囲で適宜変更可能である。
【００６０】
例えば、著作権管理システム１００では、複写装置１０は原稿に埋め込まれた無線タグからの無線タグ情報を取得するとしてが、これに限らず、複写装置１０は、原稿に埋め込まれた非接触ＩＣチップから無線タグ情報と同様の内容の情報を取得するようにしてもよい。
【００６１】
また、出版物等の原稿画像を複写する場合について説明したが、出版物等の原稿に限らず、プログラム等のデータ画像に対しても、上記した著作権の管理が適用可能である。
【００６２】
【発明の効果】
本発明によれば、複写対象となる原稿及び／又はデータの識別コードに基づいて、当該原稿及び／又はデータが複写可能か否か、更に、複写可の場合には著作権料がいくらかかるか等の情報が容易にわかるので、複写が許可されていない原稿及び／又はデータについては、複写が行われず、又、著作権料の支払いと引き換えに複写が許可されている原稿及び／又はデータの場合には、著作権料が確実に徴収できるので、著作権保護が確実に実施できる。
また、著作権管理情報が著作権管理サーバで一括管理されるため、複写の可否、著作権料等に対する設定変更が容易且つ迅速に行える。
また、社内等で作成された機密文書や重要書類等に対しては、ユーザ（例えば、社員等。）毎に複写可否が設定できるので、柔軟できめ細かな著作権（機密、特定画像等を含む。）保護が実現できる。
すなわち、出版物やデータ等に対する不正再版や不正コピーを防止して著作権が確実に保護できる。
【図面の簡単な説明】
【図１】本発明を適用した著作権管理システムの構成を示す図である。
【図２】図１に示す著作権データベースに記録される著作権管理情報の一例を示す図である。
【図３】図１に示す複写履歴データベースに記録される複写履歴情報の一例を示す図である。
【図４】図１に示す複写装置の内部構成を示す図である。
【図５】図４に示すユーザＩＤデータベースに記録されるユーザ情報の一例を示す図である。
【図６】図４に示す画像読込部が備える原稿読込み部の概略構成を示す図である。
【図７】図１に示す複写装置が行う複写処理を説明するフローチャートである。
【図８】図１に示す著作権管理サーバが行う著作権管理処理を説明するフローチャートである。
【符号の説明】
１  無線タグ
１０  複写装置
１１  制御部
１２  ＲＯＭ
１３  メモリ
１３ａ  ユーザＩＤデータベース
１４  画像読込部
１４ａ  原稿台
１４ｂ  光学ランプ
１４ｃ  光学ランプ架台
１４ｄ  アンテナ移動溝
１５  記録部
１６  原稿識別コード取得部
１６ａ  アンテナ
１６ｂ  無線コントローラ
１７  ネットワーク接続部
１８  モデム
１９  表示部
２０  操作部
３０  著作権管理サーバ
３０ａ  著作権データベース
３０ｂ  複写履歴データベース
４０  クライアントＰＣ
１００  著作権管理システム
【図１】
2005031791.tif 000003
【図２】
2005031791.tif 000004
【図３】
2005031791.tif 000005
【図４】
2005031791.tif 000006
【図５】
2005031791.tif 000007
【図６】
2005031791.tif 000008
【図７】
2005031791.tif 000009
【図８】
2005031791.tif 000010